(57)【要約】【課題】構成が簡単で製造が容易で、階段室等の吹き抜け空間を形成しても、強度が安定している付帯組立体と、これを用いたユニット建物を提供する。【解決手段】直方体状の建物ユニット１Ａ，１Ｂ…を複数、上下左右に組み合わせて構成したユニット建物Ｕの立面に連結され、この建物ユニットより小型の直方体状の付帯構造物を複数個組み合わせ、このユニット建物の内部空間を拡大させる付帯組立体１０は、少なくとも４個の付帯構造物（付帯ユニット２０，３０，４０，５０）を使用し、水平方向に少なくとも２個の付帯ユニット２０，３０を並置すると共に、垂直方向に少なくとも２個の付帯ユニット４０，５０を載置したものであり、少なくとも４個の付帯ユニットの中心部に位置する水平構造材（上梁２３ｂ，３３ｂ、下梁４２ｂ，５２ｂ）を取り外して付帯ユニットの上下左右の内部空間を連通させている。【選択図】図１
2010261273.tif 000002
【特許請求の範囲】
【請求項１】
直方体状の建物ユニットを複数、上下左右に組み合わせて構成したユニット建物の立面に連結され、該建物ユニットより小型の直方体状の付帯構造物を複数個組み合わせ、該ユニット建物の内部空間を拡大させる付帯組立体であって、
該付帯組立体は、少なくとも４個の前記付帯構造物を使用し、水平方向に少なくとも２個の前記付帯構造物を並置すると共に、垂直方向に少なくとも２個の前記付帯構造物を載置したものであり、
少なくとも４個の前記付帯構造物の中心部に位置する水平構造材を取り外して前記付帯構造物の上下左右の内部空間を連通させたことを特徴とする付帯組立体。
【請求項２】
前記付帯組立体は、少なくとも４個の前記付帯構造物の中心部に位置する垂直構造材をさらに取り外すことを特徴とする請求項１に記載の付帯組立体。
【請求項３】
前記付帯構造物は、平行な２本の柱材と２本の梁材で形成される１つの立面と、この立面の各角部から水平方向に延出する４本の梁材と、該４本の梁材の端部を垂直方向に連結する２本の中柱、及び水平方向に連結する上梁、下梁とから構成され、前記１つの立面が剛接合面で構成されることを特徴とする請求項１又は２に記載の付帯組立体。
【請求項４】
前記付帯組立体は、上下左右に組立てられた４個の付帯構造物で構成され、
正面から見て左上の付帯構造物の右下の前記下梁、右上の付帯構造物の左下の前記下梁、左下の付帯構造物の右上の前記上梁、及び右下の付帯構造物の左上の前記上梁を取り外すことを特徴とする請求項１〜３のいずれかに記載の付帯組立体。
【請求項５】
取り外された前記上梁及び下梁を補強するべく、該上梁及び下梁に隣接する他の水平構造材の補強部材を備えることを特徴とする請求項１〜４のいずれかに記載の付帯組立体。
【請求項６】
前記少なくとも４個の付帯構造物の連通された内部空間を階段室として用いることを特徴とする請求項１〜５のいずれかに記載の付帯組立体。
【請求項７】
前記左上の付帯構造物又は右上の付帯構造物の一方の床面の一部を階上の踊り場として用いることを特徴とする請求項６に記載の付帯組立体。
【請求項８】
前記左下の付帯構造物又は右下の付帯構造物の一方の床面の一部を階下の踊り場として用いることを特徴とする請求項６又は７に記載の付帯組立体。
【請求項９】
請求項１〜８のいずれかに記載の付帯組立体を、上下に組み合わされた複数個の建物ユニットに隣接して連結固定したことを特徴とするユニット建物。
【発明の詳細な説明】
【技術分野】
【０００１】
本発明は、建物ユニットに付帯する付帯構造物を複数個組み合わせた付帯組立体と、これを備えるユニット建物に係り、特に、複数の付帯構造物を使用して上下左右に連通する内部空間を有効利用できる付帯組立体とユニット建物に関する。
【背景技術】
【０００２】
従来、建物ユニットを組立て、上下の建物ユニットに連続する階段を設置するユニット建物としては、階段を設置する空間の中央に位置する梁等の構造材を除去して、上下階を貫通するように吹き抜けの空間とする必要がある。例えば、直方体状の建物ユニットにおいて、４本の柱で直方体状に形成すると共に長辺方向の中間に２本の柱を追加し、階段室を構成する補強梁を、直方体を構成する上梁とは異なる位置にしている建物ユニットおよびユニット式建物がある（例えば、特許文献１参照）。
【先行技術文献】
【特許文献】
【０００３】
【特許文献１】特許第３２７８２２９号公報
【発明の概要】
【発明が解決しようとする課題】
【０００４】
ところで、前記構造の建物ユニットおよびユニット式建物では、４本の柱材を用いて直方体状に形成すると共に、さらに階段室を構成するために２本の柱材を使用して合計６本の柱材を使用し、階段室を構成する空間の補強梁を上梁と異なる位置にするため、構成が複雑となり、製造も煩雑になる問題点があった。また、階段室部分を構成する上梁の一部が外周に位置しないため、強度が低下する恐れがあった。
【０００５】
本発明は、このような問題に鑑みてなされたものであって、その目的とするところは、構成が簡単で製造が容易な付帯組立体と、これを備えるユニット建物を提供することにある。また、階段室等の吹き抜け空間を形成しても、強度が安定している付帯組立体と、これを用いたユニット建物を提供することにある。
【課題を解決するための手段】
【０００６】
前記目的を達成すべく、本発明に係る付帯組立体は、直方体状の建物ユニットを複数、上下左右に組み合わせて構成したユニット建物の立面に連結され、該建物ユニットより小型の直方体状の付帯構造物を複数個組み合わせ、該建物ユニットの内部空間を拡大させる付帯組立体であって、該付帯組立体は、少なくとも４個の前記付帯構造物を使用し、水平方向に少なくとも２個の前記付帯構造物を並置すると共に、垂直方向に少なくとも２個の前記付帯構造物を載置したものであり、少なくとも４個の付帯構造物の中心部に位置する水平構造材を取り外して前記付帯構造物の上下左右の内部空間を連通させたことを特徴としている。
【０００７】
前記のごとく構成された本発明の付帯組立体では、水平方向に並置されると共に垂直方向に載置された少なくとも４個の付帯構造物を組立てて付帯組立体を形成したあとに、中心部に位置する水平構造材、例えば内部空間を横切る梁材を取り外すため、内部空間を上下左右に連通させることができ、階段室等に好適に用いることができる。また、吹き抜け空間として、中心部に水平構造材の無い空間を形成でき、見栄えを向上させることができる。
【０００８】
前記付帯組立体は、少なくとも４個の前記付帯構造物の中心部に位置する垂直構造材をさらに取り外すことを特徴としている。このように構成された付帯組立体では、少なくとも４個の前記付帯構造物の中心部に位置する垂直構造材を取り外すため、上下左右に連通された内部空間の中心部の幅を広げることができ、階段室等に有効に利用することができる。
【０００９】
また、本発明に係る付帯構造物を備えるユニット建物の好ましい具体的な態様としては、前記付帯構造物は、平行な２本の柱材と２本の梁材で形成される１つの立面と、この立面の各角部から水平方向に延出する４本の梁材と、該４本の梁材の端部を垂直方向に連結する２本の中柱、及び水平方向に連結する上梁、下梁とから構成され、前記１つの立面が剛接合面で構成されることを特徴としている。
【００１０】
このように構成された付帯組立体では、２本の柱材と２本の梁材で１つの剛接合面を形成し、この剛接合面に対して４本の梁材を延出し、４本の梁材の延出端部を２本の中柱と上梁と下梁で連結して直方体状に構成するため、製造が容易となる。また、中心部に位置する柱材を取り外しても、梁材同士を直接連結することができる。さらに、付帯構造物は１つの面材と、計８本の直線状の中柱及び梁材を現場で組立てることができ、輸送時に小型化できて積み込みやすく、輸送時のコストダウンを達成することができる。
【００１１】
さらに、本発明に係る付帯構造物を備えるユニット建物の好ましい具体的な他の態様としては、前記付帯組立体は、上下左右に組立てられた４個の付帯構造物で構成され、正面から見て左上の付帯構造物の右下の前記下梁、右上の付帯構造物の左下の前記下梁、左下の付帯構造物の右上の前記上梁、及び右下の付帯構造物の左上の前記上梁を取り外すことを特徴としている。この構成によれば、４つの付帯構造物の中心部に位置する下梁及び上梁を取り除くことで、４つの内部空間を連通させ、階段室等に有効に利用することができる。
【００１２】
好ましいさらに他の態様としては、前記少なくとも４個の付帯構造物の連通された内部空間を階段室として用い、左上の付帯構造物又は右上の付帯構造物の一方の床面の一部を階上の踊り場として用い、左下の付帯構造物又は右下の付帯構造物の一方の床面の一部を階下の踊り場として用いることが好ましい。これにより、付帯組立体の内部で階下に踊り場を形成し、階上に踊り場を形成して、容易に階段室を形成することができる。
【００１３】
本発明に係るユニット建物は、前記したいずれかに記載の付帯組立体を、上下に組み合わされた複数個の建物ユニットに隣接して連結固定したことを特徴としている。このように構成されたユニット建物では、上下左右に組立てたユニット建物に付帯して、このユニット建物の外側に、上下左右に連通する内部空間を有する付帯組立体を付帯させることができ、ユニット建物の内部空間を減らすことなく階段室や吹き抜け空間を容易に付帯させることができる。
【発明の効果】
【００１４】
本発明の付帯組立体、及びこれを備えるユニット建物は、複数の付帯構造物を上下左右に組み合わせて構成する付帯組立体の内部空間を連通させ、有効に活用することができる。また、構成が簡単であり、組み合わせた付帯組立体の強度を低下させることなく、ユニット建物に付帯する階段室や吹き抜け空間として利用することができる。
【図面の簡単な説明】
【００１５】
【図１】本発明に係る付帯構造物を組み合わせた付帯組立体を備えるユニット建物の一実施形態の概略構成と、Ｉ〜ＶＩＩＩの連結部を示す斜視図。
【図２】図１の複数の付帯構造物の概略構成を示す模式図。
【図３】図１の建物ユニットの１つの概略構成を示す斜視図。
【図４】図１，２の付帯構造物のうちの１つの構成を詳細に示す斜視図。
【図５】図４の付帯構造物の構造材を分解した状態の斜視図。
【図６】図５のＩＸ部の連結部を示す分解状態の斜視図。
【図７】図５のＸ部の連結部を示す分解状態の斜視図。
【図８】図５のＸＩ部の連結部を示す分解状態の斜視図。
【図９】図１のＩ部分の詳細を示し、（ａ）はｓ１−ｓ１線断面図、（ｂ）は（ａ）のｄ１−ｄ１線断面図、（ｃ）は（ａ）のｄ２−ｄ２線断面図。
【図１０】図１のＩＩ部分の詳細を示し、（ａ）はｓ２−ｓ２線断面図、（ｂ）は（ａ）のｄ３−ｄ３線断面図、（ｃ）は（ａ）のｄ４−ｄ４線断面図。
【図１１】図１のＩＩＩ部分の詳細を示し、（ａ）はｓ３−ｓ３線断面図、（ｂ）は（ａ）のｄ５−ｄ５線断面図、（ｃ）は（ａ）のｄ６−ｄ６線断面図。
【図１２】図１のＩＶ部分の詳細を示し、（ａ）はｓ４−ｓ４線矢視図、（ｂ）は（ａ）のｄ７−ｄ７線断面図、（ｃ）は（ａ）のｄ８−ｄ８線断面図。
【図１３】図１のＶ部分の詳細を示し、（ａ）はｓ５−ｓ５線断面図、（ｂ）は（ａ）の平面図。
【図１４】図１のＶＩ部分の詳細を示し、（ａ）はｓ６−ｓ６線断面図、（ｂ）は（ａ）のｄ９−ｄ９線断面図、（ｃ）は（ａ）のｄ１０−ｄ１０線断面図。
【図１５】図１のＶＩＩ部分の詳細を示し、（ａ）はｓ７−ｓ７線断面図、（ｂ）は（ａ）のｄ１１−ｄ１１線断面図、（ｃ）はｄ１２−ｄ１２線断面図。
【図１６】図１のＶＩＩＩ部分の詳細を示し、（ａ）はｓ８−ｓ８線断面図、（ｂ）は（ａ）のｄ１３−ｄ１３線断面図、（ｃ）は（ａ）のｄ１４−ｄ１４線断面図。
【発明を実施するための最良の形態】
【００１６】
以下、本発明に係る付帯構造物を組み合わせた付帯組立体を備えるユニット建物の一実施形態を図面に基づき詳細に説明する。
【００１７】
図１〜４において、本実施形態のユニット建物Ｕは、６個の略同一形状の直方体状の建物ユニット１，１…を上下左右に組み合わせて構成され、これらの建物ユニットの立面に、４個の付帯構造物である付帯ユニット２０，３０，４０，５０を組み合わせた付帯構造体１０が連結されている。建物ユニット１，１…は基本的には同一構成で、略同じ平面形状の直方体であるが、１階の建物ユニット１Ａと、２階の建物ユニット１Ｂとは階高が異なっており、１階の建物ユニットの高さが２階の建物ユニットの高さより大きく設定されている。また、一部の１階の建物ユニットの柱は太い角柱を使用している。
【００１８】
建物ユニット１（１Ａ，１Ｂ）は、図３に示されるように、鋼製の構造材を溶接で直方体状に接合して形成したボックスラーメン構造のものであり、角柱からなる４本の柱材２，２…と、この柱材の下端部を水平方向に連結する長辺方向（Ｘ方向）の下梁（床梁）３，３と、短辺方向（Ｙ方向）の下梁（床梁）４，４と、４本の柱材２，２…の上端部を水平方向に連結する長辺方向の上梁（天井梁）５，５と、短辺方向の上梁（天井梁）６，６とから直方体状に形成される。そして、建物ユニット１には、床根太７，７…が下梁３，３間に所定間隔で架設され、天井根太８，８…が上梁５，５間に所定間隔で架設されている。各柱材と各梁材とはコーナー部に補強プレート９，９…を介在させて溶接され、建物ユニット１の剛性を高めている。
【００１９】
付帯組立体１０を構成する４つの付帯ユニット２０，３０，４０，５０は、建物ユニット１より小型の直方体状をしており、建物ユニット１の短辺方向の１つの立面に連結されるように構成されている。すなわち、建物ユニット１の短辺方向に平行な立面と付帯ユニットの１つの立面とが同じ形状となっている。付帯ユニットは基本的には連結される建物ユニットを延長して、その内部空間を拡大するものである。本実施形態の付帯ユニットは、建物ユニットの長辺方向に沿って連結され、長辺方向に内部空間を拡大するものである。付帯組立体１０は、４つの建物ユニット１の上下に連続する１つの立面に付帯して連結されるものである。
【００２０】
ここで、４つの付帯ユニットの概略構成について、付帯ユニットを構成する部材を直線で示した模式図である図２を参照して説明する。図２において、（ａ）は２階の左上の付帯ユニットを示し、（ｂ）は２階の右上の付帯ユニットを示し、（ｃ）は１階の左下の付帯ユニットを示し、（ｄ）は１階の右下の付帯ユニットを示している。４つの付帯ユニットを正面（Ｘ方向）から見て、右下の付帯ユニット２０は、図２（ｄ）に示されるように、４本の互いに平行な柱２１ａ，２１ｂ、中柱２１ｃ，２１ｄと、４本の柱材の下端を水平方向に連結する４本の下梁２２ａ，２２ｂ，２２ｃ，２２ｄと、４本の柱材の上端を水平方向に連結する４本の上梁２３ａ，２３ｂ，２３ｃ，２３ｄとから直方体状に形成される。
【００２１】
そして、左下の付帯ユニット３０は右下の付帯ユニット２０を左右反転した構成であり、右上の付帯ユニット４０、左上の付帯ユニット５０は、基本的にはそれぞれ右下の付帯ユニット２０、左下の付帯ユニット３０と同一構成であり、４つの付帯ユニット２０，３０，４０，５０を上下左右に組み合わされて、すなわち、付帯ユニット２０，３０を並置すると共に、その上に付帯ユニット４０，５０を載置して付帯組立体１０が構成される。そして、本発明では、組み合わされた付帯組立体１０の内部の中心部に位置する構造材が取り外されて付帯組立体が完成される。
【００２２】
右下の付帯ユニット２０は、図２（ｄ）に示されるように、４本の柱、すなわち、２本の角柱２１ａ，２１ｂと２本の中柱２１ｃ，２１ｄ、４本の下梁２２ａ〜２２ｄ、４本の上梁２３ａ〜２３ｄの１２本の構造材で６面体に構成されると共に、床面には複数の床小梁２４，２４…が等間隔で固定されている。また、外壁を構成する右側面には外壁材を固定するためのコーナースタッド２５，２５…が固定されている。さらに、左側面には補強ブレース２６が傾斜して固定されており、上面には中間梁２７と補強ブレース２８が固定されている。この付帯ユニット２０は、１２本の構造材で直方体に構成されるが、付帯組立体１０に組立てられた後に、破線で示される中心部に位置する中柱２１ｄと上梁２３ｂと補強ブレース２６が取り外される。
【００２３】
左下の付帯ユニット３０は、図２（ｃ）に示されるように、基本的には右下の付帯ユニット２０を左右反転した構成であり、同様に４本の互いに平行な角柱３１ａ，３１ｂ、及び中柱３１ｃ，３１ｄと、４本の下梁３２ａ，３２ｂ，３２ｃ，３２ｄと、４本の上梁３３ａ，３３ｂ，３３ｃ，３３ｄとから直方体状に形成され、床面には床小梁３４，３４…が固定され、左側面にはコーナースタッド３５，３５が固定され、右側面には補強ブレース３６が固定され、上面には中間梁３７と補強ブレース３８が固定されている。この付帯ユニット３０は、付帯組立体１０として組立てられた後には、破線で示される中心部に位置する中柱３１ｄと上梁３３ｂと補強ブレース３６が取り外される。
【００２４】
右上の付帯ユニット４０は、図２（ｂ）に示されるように、４本の互いに平行な角柱４１ａ，４１ｂ、及び中柱４１ｃ，４１ｄ、４本の下梁４２ａ，４２ｂ，４２ｃ，４２ｄ、４本の上梁４３ａ，４３ｂ，４３ｃ，４３ｄの１２本の構造材で直方体状に形成されている。この付帯ユニット４０は、床面の一部に階上の踊り場として機能するように床小梁４４，４４…が固定された形状をしている。そして、右側面にはコーナースタッド４５，４５が固定され、左側面には補強ブレース４６が固定され、上面には補強ブレース４８が固定されている。この付帯ユニット４０は、付帯組立体１０として組立てられた後に、破線で示される中心部に位置する中柱４１ｄと下梁４２ｂと補強ブレース４６が取り外される。
【００２５】
左上の付帯ユニット５０は、図２（ａ）に示されるように、右上の付帯ユニット４０を左右反転すると共に、床面に床小梁が固定されず、床面が空間となっている。すなわち、付帯ユニット５０は、４本の互いに平行な角柱５１ａ，５１ｂ、及び中柱５１ｃ，５１ｄと、４本の下梁５２ａ，５２ｂ，５２ｃ，５２ｄと、４本の上梁５３ａ，５３ｂ，５３ｃ，５３ｄの１２本の構造材で直方体状に形成されている。外壁材が固定される左側面にはコーナースタッド５５，５５が固定され、隣の付帯ユニット４０と面する右側面には補強ブレース５６が固定されている。そして、上面には補強ブレース５８が固定されている。この付帯ユニット５０も、付帯組立体１０として組立てられた後に、破線で示される中心部に位置する中柱５１ｄと下梁５２ｂと補強ブレース５６が取り外される。
【００２６】
ここで、付帯ユニットの詳細について、一例として付帯ユニット２０を、図４の構造材の概略構成を示す斜視図、及び図５の各構造材のみを分解した状態を示す斜視図を参照して詳細に説明する。付帯ユニット２０は前記のように２本の角柱２１ａ，２１ｂと２本の中柱２１ｃ，２１ｄで構成される４本の柱材と、４本の下梁２２ａ〜２２ｄと、４本の上梁２３ａ〜２３ｄの計１２本の構造材で直方体状に形成される。前記の４本の柱材、４本の上梁、４本の下梁は、全てＣ形鋼から形成される。コーナーに位置する２本の角柱２１ａ，２１ｂは付帯ユニットの全高に相当する長さを有しており、その上下の端部に短い下梁２２ａと短い上梁２３ａが溶接ＷでＸ方向に固着されている。すなわち、２本の角柱２１ａ，２１ｂと、この角柱の上下を連結する上梁２２ａ及び下梁２３ａで剛接合面Ｐ１（図５参照）が形成される。
【００２７】
他の２本の柱である中柱２１ｃ，２１ｄは、２本の角柱２１ａ，２１ｂより短尺に形成され、具体的には付帯ユニットの全高より上梁２３ｃ，２３ｄと下梁２２ｃ，２２ｄの高さの分を差し引いた長さに形成されている。剛接合面Ｐ１を形成する２本の角柱２１ａ，２１ｂの下部に、Ｙ方向に下梁２２ｃ，２２ｄがボルトナット等のピン接合で連結される。そして、連結された下梁の他端間に、Ｘ方向の短い下梁２２ｂを配置して同様にピン接合で連結し、底面が形成される。連結された下梁２２ｃ，２２ｄの他端の上部に中柱２１ｃ，２１ｄがボルトナット等のピン接合で連結される。このあと、中柱の上部にＹ方向の長い上梁２３ｃ，２３ｄを配置し、ボルトナットで連結し、これらの上梁の他端側を角柱２１ａ，２１ｂの上部にボルトナットで連結する。さらに、上梁２３ｃ，２３ｄの端部間に短い上梁２３ｂを配置してボルトナットで連結する。
【００２８】
この上梁２３ｂは、後述するように、付帯組立体１０が組立てられたときに取り外されるものであり、この上梁を取り外す前に隣接する水平構造材である付帯ユニット２０，３０の上梁２３ｄ，３３ｄ、及び付帯ユニット４０，５０の下梁４２ｄ、５２ｄを補強する水平補強材（詳細は後述する補強材１５，１６）を取り付けるために、その上下高さが小さく設定されており、他の上梁２３ｃ，２３ｄの上面より下がっている。
【００２９】
これにより基本となる直方体が構成され、下梁２２ｃ，２２ｄ間に床小梁２４，２４…が所定の間隔で連結され、角柱２１ａ，２１ｂに隣接して、アングル材より構成されるコーナースタッド２５が固定され、２本の中柱２１ｃ，２１ｄと上梁２３ｂ、下梁２２ｂで構成される立面を補強する補強ブレース２６が固定される。さらに、上面には中間梁２７が固定され、水平の補強ブレース２８が固定されて付帯ユニット２０が完成する。このように付帯ユニット２０は１つの立面が剛接合面Ｐ１で形成され、この剛接合面Ｐ１に３本の下梁２２ｂ，２２ｃ，２２ｄと２本の中柱２１ｃ，２１ｄと３本の上梁２３ｂ，２３ｃ，２３ｄが連結されて構成される。
【００３０】
ここで、各構造材の連結構造について、図５〜８を参照して説明する。図６は図５のＩＸ部の連結構造を示す分解状態の斜視図、図７は図５のＸ部の連結構造を示す分解状態の斜視図、図８は図５のＸＩ部の連結構造を示す分解状態の斜視図である。図６に示されるように、中柱２１ｄの上端と短い上梁２３ｂと長い上梁２３ｄとの連結部ＩＸは、Ｙ方向の長い上梁２３ｄの端部にはアングル材から形成されたジョイントプレートＪＰ１が溶接等で固着され、このジョイントプレートＪＰ１にはＸ方向に連結するためのボルトを通す貫通孔が形成されている。
【００３１】
また、Ｘ方向の短い上梁２３ｂの端部にはエンドプレートＥＰ１が固着され、このエンドプレートには連結用のボルトを通す貫通孔が形成されている。前記したように、上梁２３ｂの高さは、上梁２３ｄの高さより小さく設定され、上梁２３ｂの上方のリブは、上梁２３ｄの上方のリブより低くなるように連結される構成となっている。中柱２１ｄには上端にエンドプレートＥＰ２が固着され、このエンドプレートにも連結用のボルトを通す貫通孔が形成されている。このエンドプレートＥＰ２は上梁２３ｄの下方のリブに対接するものであり、下方のリブには連結用のボルトを通す貫通孔が形成されている。
【００３２】
上梁２３ｄに固着されたジョイントプレートＪＰ１に、上梁２３ｂに固着されたエンドプレートＥＰ１を対接させ、ボルトを貫通孔に挿入してナットを締めボルトナットで連結する。また、中柱２１ｄの上端に固着したエンドプレートＥＰ２を上梁２３ｄの下方のリブに対接させ、ボルトを貫通孔に挿入してナットを締めボルトナットで連結する。これにより、中柱２１ｄと上梁２３ｄと上梁２３ｂを連結する。なお、反対側の上梁２３ｃに中柱２１ｃと、上梁２３ｂを連結する構成は、実質的に前記の構成を反対にしたものであり、詳細な説明は省略する。
【００３３】
つぎに、図７を参照して、中柱２１ｄの下端と短い下梁２２ｂと長い下梁２２ｄとの連結部Ｘについて説明する。図７に示されるように、Ｙ方向の長い下梁２２ｄの端部にはアングル材から形成されたジョイントプレートＪＰ２が固着され、このジョイントプレートにはＸ方向に連結するためのボルトを通す貫通孔が形成されている。このジョイントプレートＪＰ２は上下にボルトを通す貫通孔を有する幅広部が形成され、中央は幅の狭い連結部となっており、幅の狭い連結部の横の開口を通して、柱や梁を連結するためのボルトやナットをＣ形鋼の内部に挿入することができる構成となっている。
【００３４】
また、Ｘ方向の短い下梁２２ｂの端部にはエンドプレートＥＰ３が固着され、このエンドプレートには連結用のボルトを通す貫通孔が形成されている。エンドプレートＥＰ３はジョイントプレートＪＰ２と同様に、上下にボルトを通す貫通孔を有する幅広部が形成され、中央は幅の狭い連結部となっている。中柱２１ｄには下端にエンドプレートＥＰ４が固着され、このエンドプレートにも連結用のボルトを通す貫通孔が形成されている。このエンドプレートＥＰ４は下梁２２ｄの上方のリブに対接するものであり、上方のリブには連結用のボルトを通す貫通孔が形成されている。
【００３５】
下梁２２ｄに固着されたジョイントプレートＪＰ２に、下梁２２ｂに固着されたエンドプレートＥＰ３を対接させ、ボルトを貫通孔に挿入してナットを締めボルトナットで連結する。また、中柱２１ｄの下端に固着したエンドプレートＥＰ４を下梁２２ｄの上方のリブに対接させ、ボルトを貫通孔に挿入してナットを締めボルトナットで連結する。これにより、中柱２１ｄの下端と下梁２２ｄと下梁２２ｂを連結する。なお、反対側の下梁２２ｃに中柱２１ｃと、下梁２２ｂを連結する構成は、実質的に前記の構成を反対にしたものであり、詳細な説明は省略する。
【００３６】
さらに、図８を参照して、角柱２１ａと下梁２２ｃとの連結部ＸＩについて説明する。図８において、角柱２１ａの下端にはＣ形鋼の内部に嵌合するエンドプレートＥＰ５が固着されており、このエンドプレートの上部に同様にＣ形鋼の内部に嵌合する補強プレートＨＰ１が固着されている。エンドプレートＥＰ５と補強プレートＨＰ１との間隔は、この角柱に連結される下梁２２ｃの高さに相当するように構成されている。角柱の開口の一部を塞ぐように、エンドプレートＥＰ５と補強プレートＨＰ１との間にジョイントプレートＪＰ３が固着されている。なお、角柱２１ａと短い下梁２２ａとは溶接で固着され、前記のように剛接合面Ｐ１を形成している。
【００３７】
このジョイントプレートＪＰ３は、前記のように上下にボルトを通す貫通孔を有する幅広部が形成され、中央は幅の狭い連結部となっており、幅の狭い連結部の横の開口を通して、柱や梁を連結するためのボルトやナットをＣ形鋼の内部に挿入することができる構成となっている。この角柱２１ａに連結される下梁２２ｃには、その端部にエンドプレートＥＰ６が固着される。このエンドプレートはジョイントプレートＪＰ３と同じ幅広部と幅の狭い連結部とを有する形状に形成されている。
【００３８】
そして、角柱２１ａの下端に固着されたジョイントプレートＪＰ３に、下梁２２ｃの端部のエンドプレートＥＰ６を対接させ、貫通孔にボルトを通し、ジョイントプレートＪＰ３、エンドプレートＥＰ６の幅の狭い連結部からＣ形鋼の内部にナットを挿入し、ボルトにナットをねじ込むことで、角柱２１ａの下端に下梁２２ｃを連結できる構成となっている。なお、図示していないが、反対側の角柱２１ｂの下端に下梁２２ｄの他端部を連結する構成、角柱２１ａ，２１ｂの上部に上梁２３ｃ、２３ｄを連結する構成も、前記と実質的に同じ構成であるため、説明を省略する。
【００３９】
他の３つの付帯ユニット３０，４０，５０も基本的には、前記した付帯ユニット２０と同様の構成であり、図示していないが、２本の角柱と上梁及び下梁により剛接合面が形成され、この剛接合面に３本の下梁と２本の中柱と３本の上梁がボルトナットで連結されて構成される。そして、これらの付帯ユニット３０，４０，５０は、その機能に合せて床梁やブレース材等が連結される。
【００４０】
このように構成された付帯ユニット２０，３０，４０，５０は、４本の柱材がＣ形鋼から形成されると共に、他の梁材も軽量のものを用いることができるため、角柱を用いた場合と比して軽量化とコストダウンを達成できる。また、付帯ユニットは建物ユニットに付随して連結されるため、付帯ユニット自体の強度は連結される建物ユニットに依存しており、強度は安定したものとなる。さらに、柱材としてＣ形鋼を用いているため、角柱の場合と比較してボルトナットによる連結が容易に行なえる。
【００４１】
ここで、図９〜１６を参照して、４つの付帯ユニット２０，３０，４０，５０が組み合わされた付帯組立体１０の連結部分と、この付帯組立体と建物ユニット１Ａ，１Ａ，１Ｂ，１Ｂとの連結部分について詳細に説明する。先ず、４つの付帯ユニット２０，３０，４０，５０を正面（Ｘ方向）から見たとき、４つの付帯ユニットの手前側の中心部Ｉ部（図１参照）について説明する。
【００４２】
図９は、図１のＩ部の詳細を示す図であり、下階の右側の付帯ユニット２０と、下階の左側の付帯ユニット３０と、上階の右側の付帯ユニット４０と、上階の左側の付帯ユニット５０とが組み合わされている付帯組立体１０の中心部を示している。図９（ａ）は図１のＩ部のｓ１−ｓ１線に沿う断面図であり、（ｂ）は（ａ）のｄ１−ｄ１線に沿う断面図であり、（ｃ）は（ａ）のｄ２−ｄ２線に沿う断面図である。
【００４３】
下階の右側（図９ａにおいては左側）の付帯ユニット２０の上梁２３ｃはＣ形鋼から形成され、その端部にはアングル材から形成されたジョイントプレートＪＰ４が固着されている。上梁２３ｃと水平方向に直交する、短く高さの小さい上梁２３ｂはＣ形鋼で形成され、端部にはエンドプレートＥＰ７が固着され、このエンドプレートと上梁２３ｃのジョイントプレートＪＰ４が接触し、２本のボルトナットＢＮ１で連結されている。付帯ユニット２０の中柱２１ｃは同様にＣ形鋼から形成され、上端にエンドプレートＥＰ８が固着されている。そして、上梁２３ｃと柱材２１ｃとはエンドプレートＥＰ７が上梁２３ｃの下方のリブに接触して２本のボルトナットＢＮ２で連結されている。
【００４４】
また、下階の左側（図９ａにおいては右側）の付帯ユニット３０は、前記の付帯ユニット２０を左右反転した形状であり、Ｃ形鋼から形成される上梁３３ｃと、Ｃ形鋼から形成される中柱３１ｃと、Ｃ形鋼から形成される上梁３３ｂは付帯ユニット２０と同等の構成により連結されている。すなわち、図示しないが、上梁３３ｃの端部にはアングル材から形成されたジョイントプレートが固着され、上梁３３ｃと水平方向に直交する、短く高さの小さい上梁３３ｂの端部にはエンドプレートが固着され、このエンドプレートと上梁３３ｃのジョイントプレートが接触し、２本のボルトナットで連結されている。また、中柱３１ｃの上端にエンドプレートが固着されている。そして、上梁３３ｃと中柱３１ｃとはエンドプレートが上梁３３ｃのリブに接触して２本のボルトナットで連結されている。
【００４５】
上階の右側（図９ａにおいては左側）の付帯ユニット４０の下梁４２ｃはＣ形鋼から形成され、その端部にはアングル材から形成されたジョイントプレートＪＰ５が固着されている。下梁４２ｃと水平方向に直交する、短く高さの小さい下梁４２ｂはＣ形鋼で形成され、端部にはエンドプレートＥＰ９が固着され、このエンドプレートと下梁４２ｃのジョイントプレートＪＰ５が接触し、ボルトナットＢＮ３で連結されている。
【００４６】
付帯ユニット４０の中柱４１ｃは同様にＣ形鋼から形成され、下端にエンドプレートＥＰ１０が固着されている。そして、下梁４２ｃと中柱４１ｃとはエンドプレートＥＰ１０が下梁４２ｃの上方のリブに接触してボルトナットＢＮ４で連結されている。下梁４２ｂの高さは連結される下梁４２ｃより小さく設定され、それぞれの上方のリブが同じ高さとなるように連結されるため、下梁４２ｂの下方に空間が形成される。この空間と前記した付帯ユニット２０の上梁２３ｂ上方の空間に後述する補強部材が配置される。
【００４７】
また、上階の左側（図９ａにおいては右側）の付帯ユニット５０は、前記の付帯ユニット４０を左右反転した形状であり、Ｃ形鋼から形成される下梁５２ｃと、Ｃ形鋼から形成される中柱５１ｃと、Ｃ形鋼から形成される下梁５２ｂは付帯ユニット４０と同等の構成により連結されている。すなわち、図示しないが、下梁５２ｃの端部にはアングル材から形成されたジョイントプレートが固着され、下梁５２ｃと水平方向に直交する、短く高さの小さい下梁５２ｂの端部にはエンドプレートが固着され、このエンドプレートと下梁５２ｃのジョイントプレートが接触し、２本のボルトナットで連結されている。この下梁５２ｃも同様に高さの小さい梁材が用いられている。また、中柱５１ｃの下端にエンドプレートが固着されている。そして、下梁５２ｃと中柱５１ｃとはエンドプレートが下梁５２ｃの上方のリブに接触して２本のボルトナットで連結されている。
【００４８】
４個の付帯ユニット２０，３０，４０，５０には、図２に示されるように、その対向する立面に補強部材として補強ブレース２６，３６，４６，５６が固定されている。これらのブレース材は全て同じ構成で固定されているため、その１つとして補強ブレース４６について、図９（ｃ）を参照して説明する。補強ブレース４６の下端にはアングル材からなる支持部４６ａが溶接で固着され、この支持部が下梁４２ｂの上方のリブに対接してボルトナットで固定されている。図９（ｃ）では、ブレース材の下端のみを示しているが、上端についても同じように、アングル材からなる支持部を介してボルトナットで固定される構成である。このため、ボルトナットを外すことにより補強ブレース４６を除去することができる構成となっている。
【００４９】
このように、４個の付帯ユニット２０，３０，４０，５０を組立てて構成した付帯組立体１０の中心の連結部分Ｉ部は、Ｃ形鋼とジョイントプレート、及びエンドプレートを介してボルトナットにより接合されている。このため、付帯組立体１０として付帯ユニット２０，３０，４０，５０を組立てたあとに、必要に応じて柱や梁等の構造材を取り外すことが可能な構成となっている。また、補強ブレース２６，３６，４６，５６もボルトナットを外すことで容易に取り外すことができる。
【００５０】
組立て後に、中心部に位置する水平構造材である上梁２３ｂ，３３ｂ、下梁４２ｂ，５２ｂ、及び補強ブレース２６，３６，４６，５６を取り外すため、この部分を補強するべく、補強部材がＹ方向に沿って固定されている。すなわち、上梁２３ｃ，３３ｃと、下梁４２ｃ，５２ｃとの間に断面形状がＵ字状の補強材１５と断面が逆Ｕ字状の補強材１６がその平坦部を接するように介在され、４本のボルトナットＢＮ５で固定されている。この補強材１５，１６は隣接する付帯ユニット２０，３０のＹ方向の上梁２３ｃ，３３ｃと、付帯ユニット４０，５０のＹ方向の下梁４２ｃ，５２ｃを一直線上に揃える機能も有しており、Ｕ字状断面の一方のリブが上梁と下梁に接するように固定されている。
【００５１】
つぎに、４つの付帯ユニット２０，３０，４０，５０を正面から見たとき、４つの付帯ユニットの中心部Ｉ部の右側の右中心部ＩＩ部（図１参照）について、図１０を用いて説明する。図１０（ａ）は図１のＩＩ部のｓ２−ｓ２線に沿う断面図であり、（ｂ）は（ａ）のｄ３−ｄ３線に沿う断面図であり、（ｃ）は（ａ）のｄ４−ｄ４線に沿う断面図である。
【００５２】
下階の右下の付帯ユニット２０はＣ形鋼から構成される角柱２１ａの上端にエンドプレートＥＰ１１が固着されると共に、上端から梁３３ａ，３３ｃの高さに相当する距離を離して補強プレートＨＰ２が固着されている。そして、Ｃ形鋼の開口の一部を塞ぐようにジョイントプレートＪＰ６が固着されている。このジョイントプレートの固着は、基本的には他の個所も同じ構成であり、具体的には、図８の斜視図に示されるように、角柱の上端又は下端にエンドプレートが固着され、これと間隔を有して補強プレートが固着され、両プレートに跨るようにジョイントプレートが固着され、ジョイントプレートの幅の狭い連結部横のスペースを利用してＣ形鋼の内部にボルトやナットを挿入できる構成となっている。
【００５３】
角柱２１ａの上部に連結される上梁２３ｃは、Ｃ形鋼から構成され、角柱２１ａと面する端面にはエンドプレートＥＰ１２が固着されている。このエンドプレートＥＰ１２は、角柱の上部に固着されたジョイントプレートＪＰ６と同じ形状で、同じ位置に貫通孔が形成されている。そして、ジョイントプレートＪＰ６にエンドプレートＥＰ１２を接触させて角柱２１ａの上部に上梁２３をボルトナットＢＮ６で連結している。角柱２１ａの上梁２３ｃが連結された面と直交する面には上梁２３ａが溶接で接合され、前記の剛接合面を形成している。角柱２１ａの側面には水平の補強ブレース２８を支持するための金具２８ａが固着されており、この金具に対応して角柱４１ａの内部に補強板２８ｂが固着されている。
【００５４】
下階の付帯ユニット２０の上部には上階の付帯ユニット４０が連結固定されている。すなわち、付帯ユニット４０の角柱４１ａの下端にはエンドプレートＥＰ１３が固着され、このエンドプレートと下梁４２ａ，４２ｃの高さに相当する距離を離して補強プレートＨＰ３が固着されており、上階の付帯ユニット４０の角柱４１ａ下端のエンドプレートＥＰ１３と下階の付帯ユニット２０の角柱２１ａ上端のエンドプレートＥＰ１１とが接触した状態でボルトナットＢＮ７により、角柱同士が連結されている。
【００５５】
付帯ユニット４０のエンドプレートＥＰ１３と補強プレートＨＰ３との間には前記したジョイントプレートＪＰ６と同様な形状で上下方向の長さの短いジョイントプレートＪＰ７が固着されている。そして、このジョイントプレート側の下梁４２ｃはＣ形鋼で構成され、その端部には同形状のエンドプレートＥＰ１４が固着され、ジョイントプレートＪＰ７にエンドプレートＥＰ１４を接触させてボルトナットＢＮ８で角柱４１ａの下端と下梁４２ｃとを連結している。角柱４１ａの下梁４２ｃが連結された面と直交する面には下梁４２ａが溶接で接合されている。このように、ボルトナットで連結された構造材は付帯組立体１０を組立てた後で取り外すことができる構成となっている。
【００５６】
さらに、４つの付帯ユニット２０，３０，４０，５０を正面から見たとき、４つの付帯ユニットの中心部Ｉ部の奥の中心奥部ＩＩＩ部（図１参照）について、図１１を用いて説明する。図１１（ａ）は図１のＩ部のｓ３−ｓ３線に沿う断面図であり、（ｂ）は（ａ）のｄ５−ｄ５線に沿う断面図であり、（ｃ）は（ａ）のｄ６−ｄ６線に沿う断面図である。
【００５７】
付帯ユニット２０，３０，４０，５０は、それぞれ１階の建物ユニット１Ａ，１Ａと、２階の建物ユニット１Ｂ，１Ｂに連結されている。１階の右下の付帯ユニット２０は、Ｃ形鋼から形成される上梁２３ｄの端部にアングル材から形成されたジョイントプレートＪＰ８が固着されている。Ｃ形鋼から形成される短辺方向の上梁２３ｂの端部にエンドプレートＥＰ１５が固着され、このエンドプレートがジョイントプレートＪＰ８と接触してボルトナットＢＮ９で連結されている。また、Ｃ形鋼から形成される中柱２１ｄの上端にはエンドプレートＥＰ１６が固着され、上梁２３ｄの下方のリブに接触してボルトナットＢＮ１０で連結されている。
【００５８】
２階の右上の付帯ユニット４０は、Ｃ形鋼から形成される下梁４２ｄの端部にアングル材から形成されたジョイントプレートＪＰ９が固着されている。Ｃ形鋼から形成される短辺方向の下梁４２ｂの端部にエンドプレートＥＰ１７が固着され、このエンドプレートがジョイントプレートＪＰ９と接触してボルトナットＢＮ１１で連結されている。また、Ｃ形鋼から形成される中柱４１ｄの下端には、詳細には図示していないがエンドプレートが固着され、下梁４２ｄの上方のリブに接触してボルトナットで連結されている。
【００５９】
１階の左下の付帯ユニット３０は、右下の付帯ユニット２０を左右反転した同様の構成で長辺方向の上梁３３ｄ、短辺方向の上梁３３ｂ、及び中柱３１ｄが連結されており、また、２階の左上の付帯ユニット５０は、右上の付帯ユニット４０を左右反転した同様の構成で長辺方向の下梁５２ｄ、短辺方向の下梁５２ｂ、及び中柱５１ｄが連結されている。この構成も前記の付帯ユニット２０，３０の連結部の構成と同等のため、詳細な説明は省略する。
【００６０】
このように４つの付帯ユニット２０，３０，４０，５０で構成された付帯組立体１０は、建物ユニット１Ａ，１Ａ，１Ｂ，１Ｂに連結される。すなわち、１階に並置された付帯ユニット２０，３０の長辺方向の上梁２３ｄ、３３ｄと、１階の建物ユニット１Ａ，１Ａの柱材２，２とがスペーサＳＰ１を挟んで接しており、ボルトナットＢＮ１２で連結されている。このボルトナットによる連結は、柱材２，２の上部に３つの貫通孔が形成され、上下の２つの貫通孔の内部にナットが溶接され、中間の貫通孔には付帯ユニット２０，３０側から突出するガイドピンＧＰが挿入される構成となっている。
【００６１】
そして、付帯ユニット２０，３０から突出するガイドピンＧＰで付帯ユニット２０，３０と建物ユニット１Ａ，１Ａが位置決めされ、柱材２内に固着されたナットにボルトをねじ込んでボルトナットＢＮ１２で連結するものである。２階の付帯ユニット４０，５０と２階の建物ユニット１Ｂ，１Ｂとの連結も、スペーサＳＰ２を挟んでガイドピンＧＰで位置決めし、ボルトナットＢＮ１３で連結する同様の構成で連結される。
【００６２】
また、４つの付帯ユニット２０，３０，４０，５０を正面から見たとき、４つの付帯ユニットの右中心部ＩＩ部の右側の奥の右奥中心部ＩＶ部（図１参照）について、図１２を用いて説明する。図１２（ａ）は図１のＩ部のｓ４−ｓ４線に沿う断面図であり、（ｂ）は（ａ）のｄ７−ｄ７線に沿う断面図であり、（ｃ）は（ａ）のｄ８−ｄ８線に沿う断面図である。
【００６３】
下階の付帯ユニット２０は角柱２１ｂと上梁２３ｄと上梁２３ａとが連結されており、上階の付帯ユニット４０は角柱４１ｂと下梁４２ｄと下梁４２ａとが連結されている。付帯ユニット２０の角柱２１ｂはＣ形鋼から形成され、上端にエンドプレートＥＰ１８が固着されると共に、上端から梁２３ａ，２３ｄの高さに相当する距離を離して補強プレートＨＰ４が固着されている。そして、エンドプレートＥＰ１８と補強プレートＨＰ４に対応して、角柱２１ｂの一方のリブに短い上梁２３ａが溶接で固着されている。
【００６４】
角柱２１ｂの上部には、Ｃ形鋼の開口の一部を塞ぐようにジョイントプレートＪＰ１０が固着されている。このジョイントプレートＪＰ１０も前記のものと同様な形状で上下の幅広部にボルトを通す貫通孔が形成され、中央部は幅狭部で裏側にボルトやナットを挿入することができる構成である。長い上梁２３ｄもＣ形鋼で形成され、長手方向の端部にはジョイントプレートＪＰ１０と同じ形状のエンドプレートＥＰ１９が固着され、両プレートを対接させてボルトナットＢＮ１４で連結する構成となっている。
【００６５】
２階の付帯ユニット４０の角柱４１ｂはＣ形鋼から形成され、下端にエンドプレートＥＰ２０が固着され、下端から下梁４２ａ，４２ｄの高さに相当する距離を離して補強プレートＨＰ５が固着されている。そして、エンドプレートＥＰ２０と補強プレートＨＰ５に対応して、角柱４１ｂの一方のリブに短い下梁４２ａが溶接で固着されている。そして、上階の付帯ユニット４０の角柱４１ｂ下端のエンドプレートＥＰ２０の中心に貫通孔が形成され、下階の付帯ユニット２０の角柱２１ｂ上端のエンドプレートＥＰ１８の中心にも貫通孔が形成されている。これらの貫通孔は付帯組立体１０を組立てたときに互いに連通するように形成されており、両エンドプレートとが接触した状態で両孔を貫通するボルトナットＢＮ１５で連結できるように構成されている。
【００６６】
角柱４１ｂの下部には、Ｃ形鋼の開口の一部を塞ぐようにジョイントプレートＪＰ１１が固着されている。このジョイントプレートＪＰ１１も前記のものと同様な形状で上下の幅広部にボルトを通す貫通孔が形成され、中央部は幅狭部で裏側にボルトやナットを挿入することができる構成である。長い下梁４２ｄもＣ形鋼で形成され、長手方向の端部にはジョイントプレートＪＰ１１と同じ形状のエンドプレートＥＰ２１が固着され、両プレートを対接させてボルトナットＢＮ１６で連結する構成となっている。
【００６７】
付帯ユニット２０，４０と建物ユニット１Ａ，１Ｂとの連結については、基本的には前記したように、建物ユニットの柱と付帯ユニットの柱との間にスペーサＳＰを挟んでガイドピンＧＰで位置決めし、ボルトナットＢＮで連結固定する構成となっている。すなわち、１階の建物ユニット１Ａの柱２と付帯ユニット２０の角柱２１ｂとの間にスペーサＳＰ３を挟んでガイドピンＧＰで位置決めし、ボルトナットＢＮ１７で連結固定する。また、２階の建物ユニット１Ｂの柱と付帯ユニット４０の角柱４１ｂとの間にスペーサＳＰ４を挟んでガイドピンＧＰで位置決めし、ボルトナットＢＮ１８で連結固定する。
【００６８】
さらに、４つの付帯ユニット２０，３０，４０，５０を正面から見たとき、下階の２つの付帯ユニット２０，３０と、基礎Ｋとの連結部Ｖ部（図１参照）について、図１３を用いて説明する。図１３（ａ）は図１のＶ部のｓ５−ｓ５線に沿う断面図であり、（ｂ）は（ａ）の平面図である。
【００６９】
付帯ユニット２０の角柱２１ａと短い下梁２２ａとは溶接等で接合され、角柱２１ａと長い下梁２２ｃとはジョイントプレートＪＰ１２とエンドプレートＥＰ２２とを接触させてボルトナットＢＮ１９で連結されている。また、長い下梁２２ｃの端部上部に中柱２１ｃがボルトナットで連結されており、下梁２２ｃの端部開口に固着されたジョイントプレートＪＰ１３と、短い下梁２２ｂの端部に固着されたエンドプレートＥＰ２３とを接触させてボルトナットＢＮ２０で連結している。
【００７０】
そして、基礎Ｋに埋め込み固定されたコーナーアンカーボルトＡＢは角柱２１ａの下端のエンドプレートを貫通し、スペーサ（座金）を挟んでアンカーナットで固定されている。また、基礎Ｋの中程に埋め込み固定された中間アンカーボルトＡＢ１は基礎Ｋと下梁との間にアンカースペーサＡＳを挟んで下梁を貫通し、座金のスペーサを挟んでアンカーナットで固定されている。図１３の右下（図９では左側）の付帯ユニット２０と基礎Ｋとの固定は前記のような構成であるが、左下の付帯ユニット３０と基礎Ｋとの固定は、右下の付帯ユニット２０と左右対称の構成であるため、詳細な説明は省略する。
【００７１】
また、４つの付帯ユニット２０，３０，４０，５０を正面から見たとき、下階の２つの付帯ユニット２０，３０の奥中心部ＶＩ部（図１参照）について、図１４を用いて説明する。図１４（ａ）は図１のＶＩ部のｓ６−ｓ６線に沿う断面図であり、（ｂ）は（ａ）のｄ９−ｄ９線に沿う断面図であり、（ｃ）は（ａ）のｄ１０−ｄ１０線に沿う断面図である。下梁２２ｄの中央側の端部にはジョイントプレートＪＰ１４が固着され、短い下梁２２ｂの端部にジョイントプレートと同じ形のエンドプレートＥＰ２４が固着され、ジョイントプレートＪＰ１４とエンドプレートＥＰ２４を接触させてボルトナットＢＮ２１で連結している。
【００７２】
また、付帯ユニット２０は長い下梁２２ｄの中央側の端部の上部に、中柱２１ｄの下端に固着されたエンドプレートＥＰ２５がボルトナットＢＮ２２で連結されている。この下梁２２ｂ，２２ｄと中柱２１ｄとの連結部は基礎Ｋ上に載置され、アンカー固定はされていない。この下梁２２ｄと建物ユニット１Ａの柱２との連結固定は、前記と同様に、スペーサＳＰ５を挟んで、ガイドピンＧＰでガイドし、ボルトナットＢＮ２３で固定している。このボルトナットのねじ締めはジョイントプレートＪＰ１４とエンドプレートＥＰ２４の中間の幅狭部分を通して行なうことができる。隣接する付帯ユニット３０については、付帯ユニット２０を左右反転した構成であるので、詳細な説明は省略する。
【００７３】
さらに、４つの付帯ユニット２０，３０，４０，５０を正面から見たとき、上階の２つの付帯ユニット４０，５０の中心部Ｉ部の上方の上中心部ＶＩＩ部（図１参照）について、図１５を用いて説明する。図１５（ａ）は図１のＶＩＩ部のｓ７−ｓ７線に沿う断面図であり、（ｂ）は（ａ）のｄ１１−ｄ１１線に沿う断面図であり、（ｃ）は（ａ）のｄ１２−ｄ１２線に沿う断面図である。
【００７４】
付帯ユニット４０の長い上梁４３ｄの中央側の端部にはアングル材からなるジョイントプレートＪＰ１５が固着されている。また、短い上梁４３ｂの端部にはジョイントプレートＪＰ１５と同じ形状のエンドプレートＥＰ２６が固着され、これらの両プレートを接触させてボルトナットＢＮ２４で上梁４３ｂと上梁４３ｄとを連結している。上梁４３ｄの下方リブには中柱４１ｄの上端のエンドプレートＥＰ２７が接触しボルトナットＢＮ２５で連結されている。
【００７５】
隣の付帯ユニット５０についても付帯ユニット４０を左右反転した構成で、上梁５３ｂ、５３ｄ及び中柱５１ｄが連結されている。そして、付帯ユニット４０の上梁４３ｄと付帯ユニット５０の上梁５３ｄの上方のリブには、下面に水平の補強ブレース４８，５８を固定するための支持部が固定され、この支持部に水平の補強ブレース４８，５８がボルトナットで連結固定される。
【００７６】
中柱４１ｄ，５１ｄの上端部と連結された上梁４３ｄ、５３ｄと、２階の建物ユニット１Ｂ，１Ｂとの連結固定は、前記した建物ユニットの柱と上梁の連結構造と同じ構成であり、上梁４３ｄ，５３ｄと柱材２との間にスペーサＳＰ６を挟んでガイドピンＧＰで位置決めしてボルトナットＢＮ２６で固定する構成となっている。
【００７７】
また、４つの付帯ユニット２０，３０，４０，５０を正面から見たとき、上階の２つの付帯ユニット４０，５０の上中心部ＶＩＩ部の奥の奥中心部ＶＩＩＩ部（図１参照）について、図１６を用いて説明する。図１６（ａ）は図１のＶＩＩＩ部のｓ８−ｓ８線に沿う断面図であり、（ｂ）は（ａ）のｄ１３−ｄ１３線に沿う断面図であり、（ｃ）は（ａ）のｄ１４−ｄ１４線に沿う断面図である。付帯ユニット４０の長い上梁４３ｃの中央側の端部にはジョイントプレートＪＰ１６が固着され、短い上梁４３ｂの端部にはジョイントプレートＪＰ１６と同じ形状のエンドプレートＥＰ２８が固着され、これらのプレートを接触させてボルトナットＢＮ２７で上梁４３ｂと上梁４３ｃとを連結している。
【００７８】
上梁４３ｃの下方のリブには中柱４１ｃの上端のエンドプレートＥＰ２９が接触し、ボルトナットＢＮ２８で連結されている。また、隣の付帯ユニット５０についても付帯ユニット４０を左右反転した構成で、上梁５３ｂ、５３ｃがジョイントプレートＪＰ１７、エンドプレートＥＰ３０、ボルトナットＢＮ２９で連結され、上梁５３ｃに中柱５１ｃのエンドプレートＥＰ３１が接触してボルトナットＢＮ３０で連結されている。
【００７９】
上梁４３ｃ，５３ｃの上方リブの上面には、これらの梁材を相互に連結するための連結板１７が４本のボルトナットＢＮ３１で締結されている。連結板１７は、４つの付帯ユニットを組立てて付帯組立体１０としたあと、内部空間を連通させるために取り外される短い上梁４３ｂ，５３ｂを補強する補強板の機能を有している。すなわち、上梁４３ｂ，５３ｂを取り外すと、これらの梁材の中央側の端部は水平方向に振れやすくなるが、連結板１７を締結することで梁材４３ｃ，５３ｃは一体化され、端部の振れを防止することができる。この連結板１７は平板状に形成されているが、アングル材等を用いることで、上梁４３ｃ，５３ｃの上面と側面に接触させ一体化することも可能である。
【００８０】
前記の如く構成された本実施形態の付帯ユニット（付帯構造物）２０，３０，４０，５０を組み合わせた付帯組立体１０と、この付帯組立体を備えるユニット建物Ｕの動作について以下に説明する。先ず、基礎Ｋ上に複数の建物ユニット１，１…を設置固定する。すなわち、基礎Ｋ上に下階の建物ユニット１Ａ，１Ａを設置固定し、次いで上階の建物ユニット１Ｂ，１Ｂを載置し、上下の建物ユニットの柱２に近接する補強プレート９同士をボルトナット（図示せず）で連結して固定し、ユニット建物を形成する。
【００８１】
このあと、組立てられた建物ユニット１Ａ，１Ａ，１Ｂ，１Ｂに付帯ユニット２０，３０，４０，５０を連結固定して付帯組立体１０を形成し、ユニット建物Ｕを構成する。先ず、下階の付帯ユニット２０，３０を基礎Ｋ上に載置し、アンカーボルトＡＢ，ＡＢ１で固定する。このあと、建物ユニット１Ａ，１Ａの柱２，２…と付帯ユニットの構造材との間にスペーサＳＰ等を挟み、ガイドピンＧＰで建物ユニット１Ａ，１Ａと付帯ユニット２０，３０とを位置決めしてからボルトナットＢＮ等で連結固定する。例えば、建物ユニット１Ａと付帯ユニットとを連結する奥中心部ＶＩ部では、図１４で示すように、建物ユニット１Ａ，１Ａの中央部の柱２，２と付帯ユニット２０の下梁２２ｄとの間、及び付帯ユニット３０の下梁３２ｄとの間にスペーサＳＰ５を挟み、ガイドピンＧＰで位置決めしたあとボルトナットＢＮ２３で連結固定する。
【００８２】
すなわち、建物ユニット１Ａの柱２の下端部には３つの貫通孔が形成され、上下の貫通孔の内面にはナットが固着され、中央のナットはガイドピンＧＰが挿入される孔となっている。一方、付帯ユニット２０の下梁２２ｄはＣ形鋼で形成され、その中央側の端部には図示していないが３つの貫通孔が形成され、中央の貫通孔にガイドピンＧＰが固定されている。下梁２２ｄと柱２間にスペーサＳＰ５を挟み、ガイドピンＧＰで位置決めすると、両貫通孔は連通しボルトナットＢＮ２３で連結できる。付帯ユニット２０の角柱２１ｂの下端も図示していないが、同様に３つの貫通孔が形成され、ガイドピンで位置決めしてボルトナットで連結する。付帯ユニット３０の下梁３２ｄ、及び他端側の角柱３１ｂの連結についても、同様の構成で建物ユニット１Ａの柱２に連結固定される。
【００８３】
付帯ユニット２０，３０の上部と建物ユニット１Ａ，１Ａの柱２，２…の上部の連結も前記と同様の構成、すなわち、スペーサを挟んで柱２の上部と、中柱側の上梁とを対接させ、ガイドピンで位置決めしてボルトナットで連結固定することで行なわれる。また、柱の上部と角柱の上部もスペーサを挟んで対接させ、ガイドピンで位置決めしてボルトナットで連結固定する。
【００８４】
このあと、基礎Ｋ上に固定され、建物ユニット１Ａ，１Ａに連結固定された付帯ユニット２０，３０の上部に、付帯ユニット４０，５０を載置して固定する。下階の付帯ユニット２０，３０上に、上階の付帯ユニット４０，５０を載置すると、角柱同士は上下のエンドプレートが対接するが、下階の上梁と上階の下梁とは間隙があるので、この間隙に相当する厚さのスペーサを挟んで上下の梁が互いに接触するようにする。
【００８５】
この状態で、例えば、図１０に示されるように、下階の付帯ユニット２０の角柱２１ａ，２１ｂの上端のエンドプレートＥＰ１１に形成した貫通孔と、上階の付帯ユニット４０の角柱４１ａ，４１ｂの下端のエンドプレートＥＰ１３に形成した貫通孔とにボルトを通しナットをねじ込んで、ボルトナットＢＮ７で連結する。また、下階の付帯ユニット３０の角柱３１ａ，３１ｂの上端のエンドプレートに形成した貫通孔と、上階の付帯ユニット５０の角柱５１ａ，５１ｂの下端のエンドプレートに形成した貫通孔とにボルトを通しナットをねじ込んでボルトナットで連結する。これにより、上下階の付帯ユニット同士は角柱内のボルトナットで連結固定される。
【００８６】
このあと、４つの付帯ユニットを組み合わせた付帯組立体１０の上階の付帯ユニット４０，５０を建物ユニット１Ｂ，１Ｂ側に水平方向に連結固定する。この連結も、基本的には前記した下階の付帯ユニット２０，３０の建物ユニット１Ａ，１Ａへの連結と同様の構成であり、例えば、図１０，１１に示されるように、上階の建物ユニット１Ｂ，１Ｂの柱材と付帯ユニット４０の角柱４１ａ，４１ｂ、及び下梁４２ｄと上梁４３ｄとの対接部分のスペーサＳＰ等を挟み、建物ユニット１Ｂ，１Ｂの柱材と付帯ユニット５０の角柱５１ａ，５１ｂ、及び下梁５２ｄと上梁５３ｄとの対接部分のスペーサを挟み、ガイドピンＧＰで位置決めしてボルトナットＢＮ等で連結する構成となっている。
【００８７】
このようにして、建物ユニット１Ａ，１Ａ，１Ｂ，１Ｂに付帯ユニット２０，３０，４０，５０を組立てた付帯組立体１０を連結したあと、付帯組立体１０の中心部に位置する構造材を取り外す。取り外す構造材は、付帯ユニット２０では左上の上梁２３ｂと、左奥の中柱２１ｄと、左側面の補強ブレース２６である。また、付帯ユニット３０では右上の上梁３３ｂと、右奥の中柱３１ｄと、右側面の補強ブレース３６である。そして、付帯ユニット４０では左下の下梁４２ｂと、左奥の中柱４１ｄと、左側面の補強ブレース４６である。さらに、付帯ユニット５０では右下の下梁５２ｂと、右奥の中柱５１ｄと、右側面の補強ブレース５６である。
【００８８】
付帯ユニット２０の左上の上梁２３ｂ、及び付帯ユニット３０の右上の上梁３３ｂは、例えば、図９，１１等に示されるように、それぞれ上梁２３ｃ、上梁３３ｃと連結しているボルトナットＢＮ９等を外すと共に、それぞれ上梁２３ｄ、上梁３３ｄと連結しているボルトナットＢＮ１等を外すことで容易に取り外すことができる。また、付帯ユニット４０の左下の下梁４２ｂ、及び付帯ユニット５０の右下の下梁５２ｂも、これらを連結しているボルトナットを外すことで容易に取り外すことができる。さらに、補強ブレース２６，３６，４６，５６は、それぞれを固定しているボルトナットを外すことで容易に取り外すことができる。
【００８９】
このようにして、付帯組立体１０の中心部に位置する水平構造材、具体的には付帯ユニット２０の上梁２３ｂ、付帯ユニット３０の上梁３３ｂ、付帯ユニット４０の下梁４２ｂ、付帯ユニット５０の下梁５２ｂを取り外すと共に、補強ブレース２６，３６，４６，５６を取り外すことで、付帯組立体１０の中心部は構造材の無い連通した空間を形成することができ、例えば上下階を貫通して階段を設置する階段室として有効に利用することができる。また、中間部に構造材の無い空間を吹き抜け空間として有効に活用することができる。
【００９０】
そして、付帯組立体１０の垂直方向の構造材、具体的には４個の付帯ユニット２０，３０，４０，５０の中心部に位置し、隣接する建物ユニットと対向する中柱２１ｄ，３１ｄ，４１ｄ，５１ｄを取り外すことで、上下左右方向に連通させた空間の中央部に位置する柱材が無くなり、特に、階段室としてこの連通空間を用いるときに階段の中央に縦方向の突出部が無くなり、見栄えを向上させることができると共に、階段利用を容易にすることができる。
【００９１】
このようにして、４個の付帯ユニットを組み合わせて付帯組立体１０を構成し、中心部に配置された水平構造材（上梁２３ｂ，３３ｂ、下梁４２ｂ，５２ｂ、補強ブレース２６，３６，４６，５６、及び中柱２１ｄ，３１ｄ，４１ｄ，５１ｄを取り外しても、補強材１５，１６により隣接する上梁２３ｄ，３３ｄ、及び下梁４２ｄ，５２ｄは補強されるため、付帯組立体１０の強度は安定したものとなる。また、図１６に示すように、付帯ユニット４０，５０の頂部の上梁４３ｃ，５３ｃを連結板１７で連結補強することで、付帯組立体１０の強度を向上させることができる。
【００９２】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、付帯構造物４個を組立てて付帯組立体を構成する例を示したが、５個以上の付帯構造物を組立てて付帯組立体を構成するものでもよい。この場合、１階に３個の付帯構造物を配置し、２階に２個の付帯構造物を配置する等、適宜変更することができる。
【００９３】
前記の実施形態では、建物ユニットを２層に組立てた２階建ての例を示したが、３階建て以上のユニット建物にも適用できる。例えば、３階建てのユニット建物の場合、１，２階の中間の梁材と、２，３階の中間の梁材の両方を取り外して１〜３階を連通する内部空間を形成することができる。
【００９４】
また、複数の付帯ユニットを組み合わせて構成した付帯組立体の下階の付帯ユニットは基礎上に設置される例を示したが、付帯ユニットが設置される部分に基礎を形成せず、付帯組立体が建物ユニットからせり出したオーバーハング状態のものでもよいことは勿論である。
【００９５】
さらに、前記した付帯ユニットは建物ユニットの長辺方向に連結されて、その内部空間を拡大するものであるが、付帯ユニットを長辺方向の立面に、すなわち短辺方向に連結して、その内部空間を拡大するように構成してもよい。この場合、長辺方向の立面は面積が広い面であるが、この広い立面の一部に狭い立面の付帯ユニットを連結するように構成することもできる。
【産業上の利用可能性】
【００９６】
本発明の活用例として、建物ユニットに付帯して連結される付帯構造物を少なくとも４個組み合わせて構成した付帯組立体を用いて、建物ユニットを組み合わせたユニット建物の内部空間を拡大することができ、階段室や吹き抜け空間等の用途に適用できる。
【符号の説明】
【００９７】
１（１Ａ，１Ｂ）：建物ユニット、１０：付帯組立体、１５，１６：補強材、１７：連結板、
２０：付帯ユニット（付帯構造物）、２１ａ，２１ｂ：角柱、２１ｃ，２１ｄ：中柱、２２ａ，２２ｂ，２２ｃ，２２ｄ：下梁、２３ａ，２３ｂ，２３ｃ，２３ｄ：上梁、２４：床小梁（階下の踊り場）、２６：補強ブレース、
３０：付帯ユニット（付帯構造物）、３１ａ，３１ｂ：角柱、３１ｃ，３１ｄ：中柱、３２ａ，３２ｂ，３２ｃ，３２ｄ：下梁、３３ａ，３３ｂ，３３ｃ，３３ｄ：上梁、３４：床小梁（階下の踊り場）、３６：補強ブレース、
４０：付帯ユニット（付帯構造物）、４１ａ，４１ｂ：角柱、４１ｃ，４１ｄ：中柱、４２ａ，４２ｂ，４２ｃ，４２ｄ：下梁、４３ａ，４３ｂ，４３ｃ，４３ｄ：上梁、４４：床小梁（階上の踊り場）、４６：補強ブレース、
５０：付帯ユニット（付帯構造物）、５１ａ，５１ｂ：角柱、５１ｃ，５１ｄ：中柱、５２ａ，５２ｂ，５２ｃ，５２ｄ：下梁、５３ａ，５３ｂ，５３ｃ，５３ｄ：上梁、５６：補強ブレース、
Ｋ：基礎、Ｕ：ユニット建物、Ｐ１：剛接合面
【図１】
2010261273.tif 000003
【図２】
2010261273.tif 000004
【図３】
2010261273.tif 000005
【図４】
2010261273.tif 000006
【図５】
2010261273.tif 000007
【図６】
2010261273.tif 000008
【図７】
2010261273.tif 000009
【図８】
2010261273.tif 000010
【図９】
2010261273.tif 000011
【図１０】
2010261273.tif 000012
【図１１】
2010261273.tif 000013
【図１２】
2010261273.tif 000014
【図１３】
2010261273.tif 000015
【図１４】
2010261273.tif 000016
【図１５】
2010261273.tif 000017
【図１６】
2010261273.tif 000018